(57)【要約】  ほこり取り兼掃除用のブラシが、第１の端部及び第２の端部を備えた取っ手と、ブラシの外側部分に沿って設けられていて、第１の列をなす外側剛毛及び第２の列をなす外側剛毛を有する剛毛の外側レールと、ブラシの内側部分に沿って設けられていて、第１の列をなす内側剛毛及び第２の列をなす内側剛毛を有する剛毛の内側レールと、第１の外側剛毛列と第２の外側剛毛列との間に設けられていて、ブラシ内に取り込まれた物体を除去する少なくとも１つの列をなす吸引穴と、取っ手の第２の端部に沿って設けられた前側の列をなす剛毛とを有する。【選択図】図１
2010527263.tif 000002
【特許請求の範囲】
【請求項１】
ほこり取り兼掃除用のブラシであって、
第１の端部及び第２の端部を備えた取っ手と、
前記ブラシの外側部分に沿って設けられている、第１の列をなす外側剛毛及び第２の列をなす外側剛毛を有する剛毛の外側レールと、
前記ブラシの内側部分に沿って設けられている、第１の列をなす内側剛毛及び第２の列をなす内側剛毛を有する剛毛の内側レールと、
前記第１の外側剛毛列と前記第２の外側剛毛列との間に設けられていて、前記ブラシ内に取り込まれた物体を除去する少なくとも１つの列をなす吸引穴と、
前記取っ手の前記第２の端部に沿って設けられた前側の列をなす剛毛とを有する、
ことを特徴とするほこり取り兼掃除用ブラシ。
【請求項２】
前記取っ手の前記第１の端部は、真空源に取り付けられている、請求項１に記載のほこり取り兼掃除用ブラシ。
【請求項３】
前記取っ手は、木、プラスチック、鋼、アルミニウム、又はこれらの組み合わせから選択された材料で構成されている、請求項１に記載のほこり取り兼掃除用ブラシ。
【請求項４】
前記取っ手は、長さが約７〜２１インチ（１７．７８〜５３．３４ｃｍ）である、請求項１に記載のほこり取り兼掃除用ブラシ。
【請求項５】
前記内側剛毛レールは、第３の列をなす内側剛毛を更に有する、請求項１に記載のほこり取り兼掃除用ブラシ。
【請求項６】
前記外側剛毛レール及び前記内側剛毛レールは、前記物体を空中浮遊させるように構成されている、請求項１に記載のほこり取り兼掃除用ブラシ。
【請求項７】
前記前側剛毛列は、少なくとも２つの前側剛毛を含む、請求項１に記載のほこり取り兼掃除用ブラシ。
【請求項８】
前記少なくとも１つの吸引穴列は、
前記第１の外側剛毛列と前記第１の内側剛毛列との間に設けられた第１の列をなす吸引穴と、
前記第２の外側剛毛列と前記第２の内側剛毛列との間に設けられた第２の列をなす吸引穴と、
前記第１の内側剛毛列と前記第２の内側剛毛列との間に設けられた第３の列をなす吸引穴とを含む、請求項１に記載のほこり取り兼掃除用ブラシ。
【請求項９】
前記第１の列、前記第２の列及び前記第３の列に属する前記吸引穴は、互いに対して互い違いに配置されている、請求項８に記載のほこり取り兼掃除用ブラシ。
【請求項１０】
前記内側剛毛列及び前記外側剛毛列は各々、複数の束をなす馬毛から成る剛毛を含む、請求項１に記載のほこり取り兼掃除用ブラシ。
【請求項１１】
前記内側剛毛列及び前記外側剛毛列は各々、複数の束をなす合成剛毛を含む、請求項１に記載のほこり取り兼掃除用ブラシ。
【請求項１２】
前記内側剛毛列及び前記外側剛毛列は各々、長さが約１．５〜３．５インチ（３．８１〜８．８９ｃｍ）の中央剛毛を含む、請求項１に記載のほこり取り兼掃除用ブラシ。
【請求項１３】
前記前側剛毛列は、９０°以外の角度をなして前記取っ手から斜めに突き出た剛毛を含む、請求項１に記載のほこり取り兼掃除用ブラシ。
【請求項１４】
前記少なくとも１つの吸引穴列に属する各吸引穴に隣接して設けられた複数の傾斜隆起部を更に有する、請求項１に記載のほこり取り兼掃除用ブラシ。
【請求項１５】
前記取っ手の前記第１の端部の近くに位置する吸引穴は、前記取っ手の前記第２の端部の近くに位置する吸引穴よりも小径である、請求項１に記載のほこり取り兼掃除用ブラシ。
【請求項１６】
前記少なくとも１つの吸引穴列は、３つで１つの列をなす吸引穴を含む、請求項１に記載のほこり取り兼掃除用ブラシ。
【請求項１７】
前記３つの吸引穴から成る列は、長さが約０．９インチ（２．２９ｃｍ）、１．０インチ（２．５４ｃｍ）及び１．１インチ（２．７９ｃｍ）の穴を含む、請求項１６に記載のほこり取り兼掃除用ブラシ。
【請求項１８】
ほこり取り兼掃除用のブラシであって、
第１の端部及び第２の端部を備えた取っ手を有し、前記取っ手の前記第１の端部は、真空源に取り付けられており、
前記ブラシの外側部分に沿って設けられている、第１の列をなす外側剛毛及び第２の列をなす外側剛毛を有する剛毛の外側レールを有し、
前記ブラシの内側部分に沿って設けられている、第１の列をなす内側剛毛及び第２の列をなす内側剛毛を有する剛毛の内側レールを有し、
前記第１の外側剛毛列と前記第２の外側剛毛列との間に設けられていて、前記ブラシ内に取り込まれた物体を除去する少なくとも１つの列をなす吸引穴を有し、
前記取っ手の前記第２の端部に沿って設けられた前側の列をなす剛毛とを有する、
ことを特徴とするほこり取り兼掃除用ブラシ。
【請求項１９】
前記外側剛毛レール及び前記内側剛毛レールは、前記物体を空中浮遊させるように構成されている、請求項１８に記載のほこり取り兼掃除用ブラシ。
【請求項２０】
前記取っ手の前記第１の端部の近くに位置する吸引穴は、前記取っ手の前記第２の端部の近くに位置する吸引穴よりも小径である、請求項１８に記載のほこり取り兼掃除用ブラシ。
【請求項２１】
ほこり取り兼掃除用ブラシの使用方法であって、
ブラシを真空源に取り付けるステップを有し、前記ブラシは、取っ手と、外側の列をなす剛毛と、内側の列をなす剛毛と、前記内側剛毛列に隣接して設けられた少なくとも１つの列をなす吸引穴とを有し、
前記ブラシを、ほこり取りされると共に掃除されるべき表面に当てるステップを有し、
物体を掃いて前記物体を前記外側剛毛列及び前記内側剛毛列内で空中浮遊させるステップを有し、
前記物体を前記少なくとも１つの吸引穴列中に吸い込ませるステップを有する、
ことを特徴とするほこり取り兼掃除用ブラシの使用方法。
【請求項２２】
前側の列をなす剛毛を前記取っ手の前側部分に設けることにより、ほこり取り及び掃除中、前記表面を前記取っ手から保護するステップを更に有する、請求項２１に記載のほこり取り兼掃除用ブラシの使用方法。
【発明の詳細な説明】
【技術分野】
【０００１】
本発明は、一般に、掃除用ブラシに関する。本発明は、特に、真空源に取り付け可能であり、ほこりのかき混ぜと取り込みを同時に行うよう設計されたブラシに関する。
【背景技術】
【０００２】
ほこりや他の屑が、オフィス、家庭及び他の人間環境中の表面上にしばしば堆積する。ほこりは、イエダニを引き寄せる場合が多く、かかるダニは、寝具、家具及びカーペットの繊維中で繁殖する。塵埃粒子を消化するためにイエダニによって使用された酵素及びダニの排泄物は、ハウスダスト（家庭内のほこり）の一部となり、人にアレルギー反応を引き起こす場合がある。事実、イエダニは、世界中における喘息及びアレルギー症状の最も一般的な原因（主因）であると考えられている。
【０００３】
美感及び健康上の理由で、数え切れないほどのほこり及び汚れの除去方法が開発されてきている。これらの方法としては、手又はちりふき布、スポンジ、はたき若しくはほうきによる拭き取り、ぬぐいとり又は掃き取り、或いは真空掃除機又はエアフィルタによる吸引が挙げられる。かかる方法の１つでは、ほこりを掃いて１箇所にまとめるために剛毛付きブラシが用いられ、ほこりは後で何らかの適当な器具、例えばちりとりを用いて集められる。これら先行技術のほこり除去方法の大きな欠点は、ほこりをまず最初に所望の場所に掃いてまとめ、次に別途付加的な掃除ステップおよび／または器具を利用してほこりを集めなければならない場合が多いということにある。
【０００４】
オフィス、家庭及び他の人間環境中でしばしば堆積するほこりや他の屑は、容易に空中浮遊状態になる場合があるので、ほこりを除去する際に注意を払わなければならない。というのは、ほこりをきれいにする又は除去するつもりである行為がほこりを容易に空中浮遊させる場合があるからである。従来のほこり除去器具及び方法は、非効率的である場合が多い。というのは、塵埃粒子を取り込もうとする間に塵埃粒子が空中浮遊状態になり、環境中の表面上に再び沈降する場合が多いからである。加うるに、かかる行動は、塵埃粒子が掃除する人の肺の中に沈降する場合があるので、幾分危険な場合がある。塵埃粒子の吸引を防ぐことは、喘息および／またはアレルギーをもつ人にとって特に重要である。
【０００５】
従って、空気中への塵埃粒子の分散を阻止しながら、塵埃粒子を中心の位置に取り込むと同時に収集する方法及び装置を提供することが望ましい。
【発明の概要】
【０００６】
上記要望の大部分は、本発明によって満たされ、本発明の一観点では、剛毛の列間の隙間内に塵埃粒子を安全に集める掃除用ブラシ器具を提供する幾つかの実施形態が提供される。更に、掃除用ブラシ器具は、掃除用ブラシ器具が、塵埃粒子を掃いて剛毛の列間の隙間内に設けられたスロットを経て中心位置に集めることができるように、特に真空ホースに取り付けられるよう設計されているのが良い。掃除用ブラシ器具の例示的実施形態は、ほこり取り中、傷の付きやすい表面の損傷または掻き傷を最小限にする保護剛毛を備える。
【０００７】
ほこり取り兼掃除用ブラシは、第１の端部及び第２の端部を備えた取っ手を有する。本発明の例示的実施形態では、取っ手の第１の端部は、真空源に取り付けられるのが良い。ブラシ器具の例示的実施形態は、ブラシの外側部分に沿って設けられている、第１の列をなす外側剛毛及び第２の列をなす外側剛毛を有する剛毛の外側レールを更に有する。ブラシは、ブラシの内側部分に沿って設けられている、第１の列をなす内側剛毛及び第２の列をなす内側剛毛を有する剛毛の内側レールを更に有する。ブラシは、２、３又はそれ以上の列をなす内側剛毛を有するのが良い。剛毛の外側レール及び内側レールは、物体を空中浮遊させるよう構成されているのが良い。外側剛毛列及び内側剛毛列は各々、複数の束をなす馬毛から成る剛毛又は合成剛毛を含む。各束の中央に位置する剛毛は、長さが約１．５〜３．５インチ（３．８１〜８．８９ｃｍ）の剛毛のストランドを含むのが良い。
【０００８】
例示的実施形態では、ブラシ内に取り込まれた物体の除去を助けるために第１の外側剛毛列と第２の外側剛毛列との間に設けられた少なくとも１つの列をなす吸引穴を利用するのが良い。少なくとも１つの吸引穴列は、第１の外側剛毛列と第１の内側剛毛列との間に設けられた第１の列をなす吸引穴と、第２の外側剛毛列と第２の内側剛毛列との間に設けられた第２の列をなす吸引穴と、第１の内側剛毛列と第２の内側剛毛列との間に設けられた第３の列をなす吸引穴とを含むのが良い。吸引穴列は、互いに対して互い違いに配置されているのが良い。各吸引穴は、これら吸引穴に隣接して設けられた複数の傾斜隆起部を更に有するのが良い。ベンチュリ効果を計算に入れて、取っ手の第１の端部の近くに位置する吸引穴は、取っ手の第２の端部の近くに位置する吸引穴よりも小径である。例示的実施形態では、各吸引穴列は、３つの吸引穴を含むのが良く、これらの穴は、それぞれ、長さが約０．９インチ（２．２９ｃｍ）、１．０インチ（２．５４ｃｍ）及び１．１インチ（２．７９ｃｍ）であるのが良い。
【０００９】
取っ手は、木、プラスチック、鋼、アルミニウム、これらの組み合わせ又は他の適当な材料で作られるのが良いことが企図される。取っ手は、長さが７〜２１インチ（１７．７８〜５３．３４ｃｍ）であるのが良い。ほこり取り及び掃除中に表面を保護するため、前側の列をなす剛毛が取っ手の第２の端部に沿って設けられ、かかる前側剛毛列は、例えば、少なくとも２つの前側剛毛を含む。例示的実施形態では、前側剛毛列は、９０°以外の角度をなして取っ手から斜めに突き出た剛毛を含む。
【００１０】
本発明の別の実施形態は、ほこり取り兼掃除用ブラシの使用方法であって、ブラシを真空源に取り付けるステップを有し、ブラシは、取っ手と、外側の列をなす剛毛と、内側の列をなす剛毛と、内側剛毛列に隣接して設けられた少なくとも１つの列をなす吸引穴とを有し、更に、ブラシをほこり取りされると共に掃除されるべき表面に当てるステップと、物体を外側剛毛列及び内側剛毛列内に集めるステップと、物体を少なくとも１つの吸引穴列中に吸い込ませるステップとを有する、ほこり取り兼掃除用ブラシの使用方法を提供する。この方法は、前側剛毛列を有するブラシを用いることによって、表面を保護するステップを更に有するのが良い。
【００１１】
かくして、本発明の詳細な説明を一層よく理解することができるようにするため、又、当該技術分野への本発明の貢献を一層良好に理解することができるようにするため、本発明のある実施形態の概要をかなり広義に説明した。当然のことながら、本発明の付加的な実施形態が以下に説明され、かかる実施形態は、本明細書に添付された特許請求の範囲の主題を形成することになろう。
【００１２】
この点に関し、本発明の少なくとも１つの実施形態を詳細に説明する前に、本発明は、その利用が以下の説明に記載され又は図面に示された部品の構成の細部及び配置には限定されないということが理解されるべきである。本発明は、説明した実施形態に加えて他の実施形態が可能であり、又、種々の方法で実施し、行うことができる。また、本明細書において用いる表現及び専門用語並びに要約は、説明の目的のためであり、本発明を限定するものと考えられるべきではないことが理解されるべきである。
【００１３】
従って、当業者であれば、本開示が立脚する技術的思想を、本発明の幾つかの目的を達成するための他の構造、方法、及びシステムを設計する基礎として容易に利用できることは理解されよう。従って、そのような均等構成は、本発明の精神及び範囲から逸脱しない限り、特許請求の範囲は、そのような均等構成を含むものと解されるということが重要である。
【図面の簡単な説明】
【００１４】
【図１】本発明の例示的実施形態による掃除用ブラシ器具を示す底面斜視図である。
【図２】図１の掃除用ブラシ器具の個々の構成部品の分解図である。
【図３】本発明の別の実施形態による掃除用ブラシ器具の取っ手の詳細図である。
【図４】図１の掃除用ブラシ器具の上面斜視図である。
【発明を実施するための形態】
【００１５】
本発明の例示的実施形態は、金属レールによって取っ手に取り付けられた剛毛の列間の隙間中に、汚れやほこりを掃き込むことができる掃除用器具を提供する。例示的実施形態では、それと同時に、列をなす吸引穴内にほこりが集められ、この場合、ほこりを掃いて集める別個のステップが必要とされない。従って、内側剛毛と外側剛毛の間隔は、ほこりを、吸引している空気中に永続的に分散させないで、隙間の中に取り込むことができるようなものである。更に、表面は、ほこりを取っている間に損傷を受けることがまずない。というのは、保護のための前側剛毛が、取っ手が表面に接触してこれに掻き傷を付けるのを防止するからである。次に、図面の各図を参照して本発明を説明するが、図全体にわたり、同一の参照符号は、同一の部分を示している。
【００１６】
本発明の掃除用ブラシ器具の実施形態が、図１に示されている。本発明の例示的実施形態は、掃除用ブラシ器具１００であり、この掃除用ブラシ器具は、この器具１００を真空源（図示せず）に取り付けるのに適した取っ手１２０及び剛毛の列１１０ａ，１１０ｂ，１１５ａ，１１５ｂを有する。汚れ及びほこりは、剛毛列１１０ａ，１１０ｂ，１１５ａ，１１５ｂ間に位置する隙間Ｇ内に導かれる。
【００１７】
例示的実施形態では、掃除用ブラシ器具１００は、内側剛毛列１１０ａ，１１０ｂ間に位置した状態で、隙間Ｇ内に設けられた列をなす中央吸引穴１２５を有している。例示的実施形態では、剛毛列１１０ａ，１１０ｂ，１１５ａ，１１５ｂは、中央吸引穴１２５の列から遠ざかる方向に向いている。取っ手１２０は、ブラシ器具１００の一端部のところに設けられている、真空ホース（図示せず）への器具１００の結合を助けるための溝１２２を更に有するのが良い。
【００１８】
本発明の例示的実施形態では、掃除用ブラシ器具１００は、図１に示されているように前側剛毛１０５ａ，１０５ｂを更に有している。前側剛毛１０５ａ，１０５ｂは外向きなので、取っ手１２０は、ダストを表面から取り除いているときに表面に接触する恐れが著しく低い。このため、前側剛毛１０５ａ，１０５ｂは、取っ手１２０に対して９０°の角度以外の角度を形成して外に向いている。本発明は、２つの前側剛毛を備えた状態で示されているが、ほこり取り中、取っ手が表面に掻き傷を付けるのを防止する１つ又は２つ以上の前側剛毛を有してもよい。例示的実施形態では、例えば、掃除用ブラシ器具は、少なくとも２つの前側剛毛を有するのが良い。
【００１９】
本発明の掃除用ブラシ器具１００の個々の構成部品の分解図が、図２に示されている。本発明の例示的実施形態では、図２に示されているように、剛毛の２つのレール、即ち、剛毛の少なくとも１つの内側レール２３５及び剛毛の少なくとも１つの外側レール２４０が、取っ手１２０に取り付けられているのが良い。少なくとも１つの内側剛毛レール２３５は、剛毛の列１１０ｂ又は１１０ａを含むのが良く、これら剛毛の列は、内側剛毛レール２３５を取っ手１２０に取り付けたときに、これら剛毛が中央吸引穴１２５の列から遠ざかる方向に向くようある角度で取り付けられている。他の実施形態では、ブラシ器具１００は、３つ又はそれ以上の内側剛毛レール２３５を更に有するのが良い。
【００２０】
本発明の例示的実施形態では、外側剛毛レール２４０は、各々が少なくとも１つの内側剛毛レール２３５に似た、剛毛の２つの外側セクション２４２を含む。しかしながら、外側剛毛セクション２４２は、剛毛列１１０ａ，１１５ａ間及び剛毛列１１０ｂ，１１５ｂ間に広い隙間Ｇを維持するために内側剛毛レール２３５よりも大きく傾斜している。剛毛列間に約１／２インチ（１．２７ｃｍ）の隙間Ｇを維持することが望ましい。しかしながら、１／４インチ（０．６４ｃｍ）〜１インチ（２．５４ｃｍ）の隙間が本発明の実施形態の範囲内にある。外側剛毛レール２４０は、２つの外側剛毛セクション２４２を連結する湾曲したレール部分２４５を更に有している。前側剛毛１０５ａ，１０５ｂは、湾曲レール部分２４５から突き出ている。
【００２１】
本発明の例示的実施形態によれば、剛毛レール２３５，２４０，２４５は、アルミニウム、亜鉛めっき鋼あるいは他の適当な金属材料で作られるのが良い。好ましい実施形態では、レール２３５，２４０のための金属は、長さが約７〜８インチ（１７．７８〜２０．３２ｃｍ）の状態で提供されるのが良い。湾曲したレール部分２４５のための金属は、長さが約１インチ（２．５４ｃｍ）以下であるのが良い。剛毛を所望の位置に位置決めし、次に金属に圧着して剛毛をその位置に保持することにより剛毛を取り付けるのが良い。剛毛の外側レールと内側レールは、ほこり取り及び掃除中、物体又は屑を空中浮遊させるよう構成されているのが良い。
【００２２】
本発明の例示的実施形態では、剛毛列１１０ａ，１１０ｂ，１１５ａ，１１５ｂは、馬毛、又は、合成若しくは他の適当な材料のストランドで作られた剛毛を含むのが良い。各列は、図２に示されているように複数の束をなす馬毛から成る剛毛１０７で構成されるのが良い。馬毛から成る剛毛の束１０７は、各束の中央に位置する内側ストランドが例えば約２．５インチ（６．３５ｃｍ）であるように切断されるのが良く、外側ストランドは、図２に示されているようにこれよりも僅かに短く切断される。他の例示的実施形態では、長さが約１．５〜３．５インチ（３．８１〜８．８９ｃｍ）の長いストランドも又企図される。例示的実施形態では、馬毛から成る剛毛の束１０７は、約０．１〜０．９インチ（０．２５〜２．２９ｃｍ）の隙間だけ互いに分離されているのが良い。例示的実施形態では、束１０７間の隙間は、約０．２インチ（０．５１ｃｍ）である。従って、これら実施形態では、馬毛から成る剛毛のセクション１０７は、交互配列に切断された房状剛毛として説明できる。
【００２３】
本発明の例示的実施形態による取っ手１２０が、図３に示されている。例示的実施形態では、取っ手は、木、鋼、アルミニウム、プラスチック若しくはこれらの組み合わせ又は真空ホース取り付け具又はスタンドアロン型ブラシとして使用するのに適した他の材料で作られるのが良い。真空ホース取り付け具とともに用いるための取っ手１２０は、取っ手１２０とホース取り付け具の結合を助ける溝１２２を有するのが良い。本発明の取っ手１２０は、長さが約７〜２１インチ（１７．７８〜５３．３４ｃｍ）であるのが良い。例えば、取っ手１２０の長さは、１４インチ（３５．５６ｃｍ）であるのが良い。
【００２４】
本発明の例示的実施形態では、取っ手１２０は、内側剛毛レール２３５のための内側レール取り付け具３５０及び外側剛毛レール２４０のための外側レール取り付け具３５５を有するのが良い。剛毛の内側レール２３５及び外側レール２４０を滑らせて内側レール取り付け具３５０及び外側レール取り付け具３５５に出し入れすることができる。剛毛のレールが取り外し可能であるというこの構成により、損傷した剛毛列の選択的交換が可能であり、それによりブラシ器具１００のより安価な保守が可能である。というのは、交換が必要な列のみを破棄すれば足りるからである。
【００２５】
好ましい実施形態によれば、取っ手１２０は、上述した中央吸引穴の列１２５を有し、かかる中央吸引穴列は、２つの内側レール取り付け具３５０間に位置している。例示的実施形態では、取っ手１２０は、一方の内側レール取り付け具３５０と一方の外側レール取り付け具３５５との間に設けられた吸引穴の外側列３２７を更に有している。取っ手１２０の例示的実施形態は、他方の内側レール取り付け具３５０と他方の外側レール取り付け具３５５との間に設けられた吸引穴の別の外側列３３０を有する。例示的実施形態では、各吸引穴列１２５，３２７，３３０は、寸法形状が互いに異なる３つの組をなす吸引穴を有する。更に、取っ手は、複数の傾斜隆起部３６０を有するのが良く、これら隆起部は、ほこりが穴の中に容易に吸い込まれるように、吸引穴１２５，３２７，３３０に向かって内方に傾斜した湾曲部分である。
【００２６】
本発明の好ましい実施形態では、真空源（図示せず）は、取っ手１２０の近位端部１２０ａのところに取り付けられる。真空源は、取っ手１２０の遠位端部１２０ｂから見て最も遠くに位置する。従って、真空源は、取っ手１２０の近位端部１２０ａの最も近くに位置する吸引穴のところでより大きい吸引力を提供する。吸引穴の各列１２５，３２７，３３０内において真空源から遠ざかったところに位置する穴に関して吸引力を減少させるこのベンチュリ効果を計算に入れると、取っ手１２０の遠位端部１２０ｂの近くに位置する吸引穴は、塵埃粒子の良好な吸引を提供するよう大きなサイズのものであるのが良い。例示的実施形態では、取っ手１２０の近位端部１２０ａの最も近くに位置する吸引穴は、この場所での吸引力が最も強力なので、最も小さなサイズのものである。かくして、吸引穴は、各吸引穴列１２５，３２７，３３０が遠位端部１２０ｂに近づくにつれてサイズが増大する。例えば、吸引穴列１２５は、３つの穴を有するのが良く、近位端部１２０ａの最も近くに位置する穴は、長さが０．９インチ（２．２９ｃｍ）であり、中間の穴は、長さが１インチ（２．５４ｃｍ）であり、遠位端部１２０ｂの最も近くに位置する穴は、長さが１．１インチ（２．７９ｃｍ）である。他の実施形態では、列１２５，３２７，３３０の吸引穴は、互いに整列しているのが良く、或いは変形例として、図３に示されているように互いに対して互い違いに配置されていても良い。
【００２７】
掃除用ブラシ器具１００は、真空源に取り付けられて塵埃粒子及び他の小さな屑を除去するよう表面に当てられるのが良い。図４に示されているように、使用中、取っ手の頂端部が見え、剛毛の端部は、ある角度で、ほこり取りされるべき表面に接触している。剛毛の外側レール及び内側レールは、塵埃粒子及び屑を空中浮遊させるよう構成されているのが良い。剛毛列１１０ａ，１１０ｂ，１１５ａ，１１５ｂは、隙間Ｇ内に取り込まれるようになるほこりをかき混ぜる。すると、ほこりは、列１２５，３２７，３３０の吸引穴を経て、真空源（図示せず）によって集められる。前側剛毛１０５ａ，１０５ｂは、取っ手１２０の遠位端部１２０ｂが表面に接触するのを防止することによりほこり取り中、表面を保護する。
【００２８】
本発明の多くの特徴及び利点は、詳細な説明から明らかであり、かくして、特許請求の範囲は、本発明の真の精神及び範囲に属する本発明のかかる特徴及び利点の全てを包含することが意図されている。更に、当業者には多くの変更及び変形が容易に想到されるので、本発明を図示すると共に記載した構造及び作用そのものに限定することは望ましくなく、従って、全ての適当な変形及び均等は、本発明の範囲に属するものである。
【図１】
2010527263.tif 000003
【図２】
2010527263.tif 000004
【図３】
2010527263.tif 000005
【図４】
2010527263.tif 000006
【国際調査報告】
2010527263.tif 000007